(57)【要約】【課題】被検者から放出された皮膚透過ガス中の成分を検出する際に行う操作作業数を少なくすることができる皮膚透過ガス検出装置を提供する。【解決手段】アルコール濃度検出装置１１は、筐体１３と、筐体１３内に収容されるガスセンサ１４とを備えている。そして、筐体１３には、皮膚透過ガスを筐体１３内に取り入れる取り入れ口１５と、取り入れ口１５を開閉する蓋体１６とが設けられている。蓋体１６には押圧操作が可能な操作部材としての突部１７が設けられている。そして、蓋体１６は、操作部材としての突部１７が押圧操作されると開くように構成されている。【選択図】図１
2009097960.tif 000002
【特許請求の範囲】
【請求項１】
ガスセンサによって被検者の皮膚から放出された皮膚透過ガス中の成分を検出する皮膚透過ガス検出装置において、
筐体と、
前記筐体内に収容されたガスセンサと、
前記筐体に設けられ、皮膚透過ガスを前記筐体内に取り入れる皮膚透過ガス取り入れ口と、
前記皮膚透過ガス取り入れ口を開閉する蓋体と、
前記蓋体と連係するように設けられ、押圧操作が可能な操作部材とを備え、
前記蓋体は、前記操作部材が押圧操作されると開くように構成されていることを特徴とする皮膚透過ガス検出装置。
【請求項２】
前記筐体には、前記筐体内と前記筐体外とを連通する排気口が前記皮膚透過ガス取り入れ口とは別に設けられ、
前記筐体には、前記排気口を閉鎖可能な閉鎖部材が設けられ、
前記閉鎖部材は、前記操作部材が押圧操作されると前記排気口を開くように構成されている請求項１に記載の皮膚透過ガス検出装置。
【請求項３】
前記操作部材は、前記蓋体に前記筐体から突出するように設けられた突部である請求項１又は請求項２に記載の皮膚透過ガス検出装置。
【請求項４】
前記蓋体は、複数のゴム部材によって構成されるとともに前記操作部材を兼ねており、
前記複数のゴム部材は、非操作時に互いに当接し合って前記皮膚透過ガス取り入れ口を閉じるように設けられている請求項１に記載の皮膚透過ガス検出装置。
【発明の詳細な説明】
【技術分野】
【０００１】
本発明は、人体から放出された皮膚透過ガス中の成分を検出する皮膚透過ガス検出装置に関する。
【背景技術】
【０００２】
人体の汗腺から分泌される汗中の成分は血液中の成分に依存しているという事実は周知である。そして、従来、このような事実に基づいて、人体から放出され、汗と同じ成分を含んでいる皮膚透過ガスの成分を検出して被検者の健康状態を診断する皮膚透過ガス検出装置が考えられている。
【０００３】
このような皮膚透過ガス検出装置の一例としては、皮膚に密着可能であるとともに底部が開口された容器を備え、開口部を介して皮膚から放出された皮膚透過ガスを容器内に導入した後、導入した皮膚透過ガスを容器内から追い出して測定に供する皮膚透過ガス検出装置が提案されている（例えば、特許文献１参照。）。特許文献１に記載の皮膚透過ガス検出装置では、容器内を下部槽と上部槽とに仕切る仕切板が設けられ、仕切板にはその中央部に下部槽と上部層とを連通する開口が設けられている。そして、この皮膚透過ガス検出装置では、仕切板に設けられた開口を弁部材によって閉じた状態で、皮膚透過ガス検出装置の容器の開口部を被検者の皮膚に押し当てて固定して下部槽に皮膚透過ガスを収集する。その後、操作部材を操作して弁部材によって閉じられた開口を開き、下部槽から上部槽内に皮膚透過ガスを流入させる。そして、次に、上部槽と連通する導出口及び送風口を開き、送風口から導出口に流れる通気とともに皮膚透過ガスを追い出してその皮膚透過ガスを測定に供する。
【０００４】
また、その他に、皮膚透過ガス中の成分を測定する検出装置としては、被検者の皮膚から放出された汗をガスとしてガスセンサにまで導入し、ガスセンサによって汗に含まれるアルコール濃度を測定して、被検者の血液中のアルコール濃度を得るアルコール濃度検出装置が提案されている（例えば、特許文献２参照。）。特許文献２に記載のアルコール濃度検出装置では、被検者が指の腹を防滴透湿膜に押し付けた状態で、プランジャを引いて汗中の揮散成分をプローブ内で清浄空気に拡散し、シリンダ内に貯留する。そして、バルブを切り替えた後、貯留したガスをプランジャによってセンサ室に送り込み、センサ室を略一定のガス圧に維持しつつセンサ室に設けられたガスセンサによって、被検者の汗に含まれるアルコール濃度を測定する。
【特許文献１】特開２００２−１９５９１９号公報
【特許文献２】特開２００１−２１５６７号公報
【発明の開示】
【発明が解決しようとする課題】
【０００５】
ところが、特許文献１に記載の皮膚透過ガス検出装置では、容器の開口部を被検者の皮膚に押し当てる作業とは別に、操作部材を操作する作業、導出口及び送風口を開く作業を行わなければ収集された皮膚透過ガスを側定に供することはできない。したがって、この皮膚透過ガス検出装置は、皮膚透過ガスの測定を行うまでに多くの操作を行わなければならない分だけ、操作が煩雑であるという問題があった。
【０００６】
また、特許文献２に記載の血液中のアルコール濃度検出装置では、被検者が指の腹をプローブの防滴透湿膜に押し付ける作業とは別に、駆動部によりプランジャを動かす操作と、バルブを切り換える操作を行わなければ、センサを備えるセンサ室にガスを送り込むことはできない。したがって、この血液中のアルコール濃度検出装置でも、特許文献１と同様に、被検者から発生したガスから血液中のアルコール濃度を測定するまでに多くの操作を行わなければならない分だけ、操作が煩雑であった。
【０００７】
本発明は、こうした事情に鑑みてなされたものであり、その目的は、被検者から放出された皮膚透過ガス中の成分を検出する際に行う操作作業数を少なくすることができる皮膚透過ガス検出装置を提供することにある。
【課題を解決するための手段】
【０００８】
前記の目的を達成するため、請求項１に記載の発明は、ガスセンサによって被検者の皮膚から放出された皮膚透過ガス中の成分を検出する皮膚透過ガス検出装置において、筐体と、前記筐体内に収容されるガスセンサと、前記筐体に設けられ、皮膚透過ガスを前記筐体内に取り入れる皮膚透過ガス取り入れ口と、前記皮膚透過ガス取り入れ口を開閉する蓋体と、前記蓋体と連係するように設けられ、押圧操作が可能な操作部材とを備え、前記蓋体は、前記操作部材が押圧操作されると開くように構成されていることを要旨とする。
【０００９】
なお、「皮膚透過ガス」とは、汗腺から分泌されるガスや、体内から分泌された後に皮膚を透過して放出されるガスや、皮膚から分泌されるガスのことを意味する。
この発明では、被検者が操作部材を押圧操作すると、蓋体が開かれ皮膚透過ガスはガスセンサにまで到達し、ガスセンサは皮膚透過ガス中の成分を検出する。このとき、被検者による操作部材の押圧操作によって、皮膚透過ガス取り入れ口は開かれ、なおかつ、被検者の皮膚は皮膚透過ガス取り入れ口付近に位置することになる。したがって、被検者の皮膚を皮膚取り入れ口付近に近づかせる作業と、操作部材を操作する作業とを別々に行う場合に比べて、操作作業数を少なくすることができ操作性を向上させることができる。
【００１０】
請求項２に記載の発明は、請求項１に記載の発明において、前記筐体には、前記筐体内と前記筐体外とを連通する排気口が前記皮膚透過ガス取り入れ口とは別に設けられ、前記筐体内には、前記排気口を閉鎖可能な閉鎖部材が設けられ、前記閉鎖部材は、前記操作部材が押圧操作された際に前記排気口を開くように構成されていることを要旨とする。
【００１１】
なお、「操作部材が押圧操作された際に排気口を開く」とは、押圧操作すると同時に排気口を開く場合も、押圧操作して所定時間経過した後に排気口を開く場合も含む。
この発明では、操作部材が操作されると排気口が開かれて、筐体内のガスが排気口を介して筐体外に排気されるようになる。そのため、皮膚透過ガス取り入れ口から取り入れられた皮膚透過ガスは、排気口に向かって流れるようになり、排気口が存在しない場合に比べて皮膚透過ガスの流れは早くなる。したがって、ガスセンサに単位時間当たりに到達する皮膚透過ガスの量は、排気口が存在しない場合に比べて多くなるため、ガスセンサの検出精度を向上させることができる。
【００１２】
請求項３に記載の発明は、請求項２に記載の発明において、前記操作部材は、前記蓋体に前記筐体から突出するように設けられた突部であることを要旨とする。
この発明では、被検者が蓋体を開こうとする際、筐体から突出している分だけ突部を押せば蓋体を開くことができる。したがって、平坦に構成された操作部材を押圧操作する場合のように被検者がどの程度押圧すべきかを意識しなくともよいため、容易に蓋体を開くことができる。
【００１３】
請求項４に記載の発明は、請求項１に記載の発明において、前記蓋体は、複数のゴム部材によって構成されるとともに前記操作部材を兼ねており、前記複数のゴム部材は、非操作時に互いに当接し合って前記皮膚透過ガス取り入れ口を閉じるように設けられていることを要旨とする。
【００１４】
この発明では、蓋体が操作部材を兼ねており、蓋体としての複数のゴム部材が押圧操作されると、複数のゴム部材は弾性変形して複数のゴム部材同士の当接は解除されゴム部材同士の間に間隔が形成されて皮膚透過ガス取り入れ口は開かれる。そして、皮膚透過ガスは筐体内に取り入れられて、ガスセンサは皮膚透過ガス中の成分を検出することができる。
【００１５】
また、蓋体はゴム部材から構成されているため、蓋体が皮膚透過ガス取り入れ口を閉鎖する際の皮膚透過ガス取り入れ口のシール性を容易に向上させることができる。
【発明の効果】
【００１６】
本発明によれば、被検者から放出された皮膚透過ガス中の成分を検出する際に行う操作作業数を少なくすることができる。
【発明を実施するための最良の形態】
【００１７】
（第１実施形態）
以下、本発明を自動車に搭載されるアルコール濃度検出装置に具体化した第１実施形態を図１及び図２にしたがって説明する。
【００１８】
図１（ａ）に示すように、アルコール濃度検出装置１１は、略四角箱状の筐体１３と、筐体１３内に収容されているガスセンサ１４と、筐体１３に設けられた皮膚透過ガス取り入れ口１５（以下、取り入れ口１５と記載する。）を開閉する蓋体１６と、操作部材としての突部１７とから構成されている。
【００１９】
図１（ｂ）に示すように、筐体１３には、その底部１８の上方に図示しない取り付け手段を介して基板１９が取り付けられるとともに、基板１９にはガスセンサ１４の端子１４ａが接合されている。ガスセンサ１４は、ガス中のアルコール濃度を検出するとともに、検出したアルコール濃度に応じた検出電圧を外部の図示しない外部装置に対して出力するように構成されている。また、基板１９上に接合されたガスセンサ１４等の電子部品は、図示しない複数の配線によって図示しない外部装置と電気的に接続されている。なお、複数の配線は筐体１３に設けられた図示しない導出孔を介して筐体１３外に導出されている。そして、筐体１３外のガスが導出孔を介して流入しないように、導出孔に存在する隙間は図示しないシール材によって埋められている。
【００２０】
また、ガスセンサ１４の上方に存在する筐体１３の上壁部２０には、平面視略矩形状の取り入れ口１５が設けられている。取り入れ口１５は筐体１３外と筐体１３内とを連通するとともに、上壁部２０の内壁面２０ａに取り付けられている蓋体１６によって開閉されるように構成されている。蓋体１６は、取り入れ口１５の開口を覆うことができるような形状の板ばねから構成されている。蓋体１６はその第１端部２１が上壁部２０の内壁面２０ａに接着剤等の接合材により接合されるとともに、第２端部２２が自由端となっている。蓋体１６は、外力が加えられていない状態では取り入れ口１５を閉鎖するように上壁部２０に当接している。そして、蓋体１６の第２端部２２には、その取り入れ口１５と対向する側の面２３に操作部材としての突部１７が一体に設けられている。突部１７は取り入れ口１５を通過して筐体１３外に突出するように形成されている。
【００２１】
次に前記のように構成されたアルコール濃度検出装置１１の作用を説明する。
アルコール濃度検出装置１１は、運転者が自動車を運転する前に自身の血液中のアルコール濃度を測定するために用いられる。アルコール濃度検出装置１１を使用する際に、運転者は、図２に示すように、まず、自身の指Ｐで突部１７を押圧し、蓋体１６の第２端部２２が取り入れ口１５から離間するように蓋体１６を湾曲させ取り入れ口１５を開く。そして、取り入れ口１５を開いたとき運転者の指Ｐは取り入れ口１５の真上に存在するため、図２の矢印で示すように、運転者の指Ｐから放出された皮膚透過ガスは、取り入れ口１５を通過して筐体１３内に流入する。その後、皮膚透過ガスはガスセンサ１４の検出素子にまで到達し、ガスセンサ１４は皮膚透過ガス中のアルコール濃度に応じた検出電圧を筐体１３の外部に設けられた図示しない外部装置に入力する。そして、外部装置は、ガスセンサ１４から入力された検出電圧に基づいて、運転者の血液中のアルコール濃度を測定する。
【００２２】
また、運転者の血液中のアルコール濃度の測定が終了した後、運転者が突部１７から指Ｐを離すと、蓋体１６は元の形状に戻り、蓋体１６の第２端部２２は上壁部２０に当接して取り入れ口１５を閉じる。そのため、皮膚透過ガスの検出を行わないときには蓋体１６によって取り入れ口１５が閉じられているため、取り入れ口１５からのガスの流通は遮断され、筐体１３外に存在する雑ガスが筐体１３内に流入してガスセンサ１４に影響を与えることは抑制される。なお、「雑ガス」とは、ガスセンサ１４によってガス中の成分を検出する際、ガスセンサ１４の検出結果に影響を与えるガスのことを意味する。
【００２３】
この実施形態によれば、以下に示す効果を得ることができる。
（１）アルコール濃度検出装置１１は、ガスセンサ１４と、皮膚透過ガスを筐体１３に取り入れる取り入れ口１５と、蓋体１６と、蓋体１６と連係するように設けられ、押圧操作が可能な突部１７とを備えている。したがって、取り入れ口１５付近に運転者の皮膚を近づける作業と、突部１７を操作する作業とをまとめて行うことができるため、操作作業数を低減することができ、アルコール濃度検出装置１１の操作性を向上させることができる。
【００２４】
（２）ガスセンサ１４は筐体１３内に収容されており、ガスセンサ１４が皮膚透過ガス中の成分を検出する際に、筐体１３外に存在する雑ガスが皮膚透過ガスに混入することを抑制する。したがって、雑ガスによってガスセンサ１４の検出結果に影響が与えられることを抑制でき、ガスセンサ１４による皮膚透過ガス中の成分の検出精度を向上させることができる。
【００２５】
（３）操作部材としての突部１７は、筐体１３外に突出している。そして、運転者は、蓋体１６を開こうとする際、筐体１３から突出している分だけ突部１７を押せば蓋体１６を開くことができる。したがって、平坦に構成された操作部材を押圧操作する場合のように運転者がどの程度押圧すべきかを意識しなくともよいため、容易に蓋体１６を開くことができる。
【００２６】
（第２実施形態）
次に、本発明を具体化した第２実施形態について図３を参照しながら説明する。なお、第２実施形態は、排気口及び閉鎖部材が設けられた点が主に異なりその他の構成は第１実施形態と基本的に同様であるため、同様の部分についてはその詳細な説明を省略する。
【００２７】
図３（ａ）に示すように、筐体１３には、その側壁部２５の下部に筐体１３内と筐体１３外とを連通する排気口２６が設けられている。そして、筐体１３内には、筐体１３の上壁部２０に対して平行な平板状の蓋体２７と、蓋体２７の第１端部２８から筐体１３の底部１８に向かって延びる閉鎖部材２９と、蓋体２７の第２端部３０と筐体１３の底部１８との間に介装された巻きばね３１とが設けられている。なお、蓋体２７は、その一方の側壁部２５から対向する他方の側壁部３２にまで亘るように形成されている。
【００２８】
閉鎖部材２９は側壁部２５の内壁面２５ａと摺接するとともに、蓋体２７が筐体１３の上壁部２０に当接している状態では、その先端が筐体１３の底部１８から離間し、なおかつ、排気口２６よりも下方に位置している。図３（ｂ）に示すように、閉鎖部材２９は蓋体２７が筐体１３の上壁部２０に当接している状態において排気口２６を閉鎖できるようにその幅寸法が排気口２６の幅寸法よりも大きく設定されている。そして、閉鎖部材２９には、その下端部に排気口２６よりも大きな形状の孔３３が設けられている。
【００２９】
孔３３は、蓋体２７が筐体１３の上壁部２０に当接している状態においては排気口２６と連通せず、蓋体２７が上壁部２０から離間し取り入れ口１５が開かれている状態では排気口２６と連通する位置に設けられている。孔３３は、突部１７が操作されて蓋体２７が所定距離下降した後に排気口２６を全開する位置に設けられている。なお、図３（ｂ）では、図示の都合上、ガスセンサ１４及び基板１９を省略して図示している。
【００３０】
図３（ａ）に示すように、巻きばね３１はその第１端部が筐体１３の底部１８に取り付けられるとともに、第２端部が蓋体２７の第２端部３０に取り付けられている。巻きばね３１は蓋体２７を筐体１３の上壁部２０側に付勢するように設けられている。
【００３１】
次に、前記のように構成されたアルコール濃度検出装置３４の作用を説明する。
アルコール濃度検出装置３４は、運転者が自動車を運転する前に自身の血液中のアルコール濃度を測定するために用いられる。アルコール濃度検出装置３４を使用する際に、運転者は、図３（ｃ）に示すように、まず自身の指Ｐで突部１７を押圧し、巻きばね３１の付勢力に抗して蓋体２７及び閉鎖部材２９を筐体１３の底部１８側に移動させる。すると、取り入れ口１５が開かれた後、孔３３の下端が排気口２６の上端を通り過ぎた時点から、筐体１３内は孔３３及び排気口２６を介して筐体１３外と連通する。そして、図３（ｃ）の矢印で示すように、運転者の指Ｐから放出された皮膚透過ガスは、取り入れ口１５を通過して筐体１３内に流入し、ガスセンサ１４を経由して排気口２６から放出される。したがって、排気口２６が開かれた後は、皮膚透過ガスは取り入れ口１５から排気口２６に向かうように流れるため、皮膚透過ガスの流れは早くなり、皮膚透過ガスはより早くガスセンサに到達する。
【００３２】
この実施形態によれば、第１実施形態の（１）〜（３）と同様の効果の他に、以下に示す効果を得ることができる。
（４）アルコール濃度検出装置３４は、筐体１３に設けられた排気口２６と、排気口２６を開閉する閉鎖部材２９とを備えている。閉鎖部材２９には、蓋体２７が開かれたときに排気口２６と連通する孔３３が設けられている。したがって、取り入れられた皮膚透過ガスの流れは早くなり、ガスセンサ１４に単位時間当たりに到達する皮膚透過ガスの量は多くなり、ガスセンサ１４の検出精度を向上させることができる。
【００３３】
（第３実施形態）
次に、本発明を具体化した第３実施形態について、図４及び図５を参照しながら説明する。
【００３４】
図４（ａ）に示すように、アルコール濃度検出装置３５にはその底部に略四角形状のベース部３６が設けられている。
ベース部３６にはその中央部に円筒状の台座部３７が立設されるとともに、その上面にベース部３６の外縁よりも一回り小さく、かつ、ベース部３６の外縁に沿うように延びる平面視四角形状の突条３８が形成されている。そして、ベース部３６上であって、突条３８の外側には、四角筒状の第１ケース３９が設けられている。第１ケース３９の内側には第２ケース４２が収容されている。
【００３５】
第２ケース４２は、ベース部３６と第２ケース４２との間に介装された巻きばね４１の付勢力によって一定の位置に保持されている。なお、巻きばね４１は圧縮ばねであるとともに、その内側に台座部３７が存在するように配置されている。筐体は、ベース部３６、第１ケース３９、及び第２ケース４２によって構成されている。そして、図４（ｂ）に示すように、第２ケース４２は、外形が直方体形状に形成されるとともにその内部にガスセンサ４３を収容可能な収容室４４が設けられた収容体４５と、収容体４５の上縁部に設けられた略四角筒形状のガス取り入れ部４６とから構成されている。
【００３６】
収容体４５はその内壁面が台座部３７の外周に摺接するように形成されるとともに、その内壁面の上部にガスセンサ４３の外周部と摺接可能な突条４７が形成されている。なお、ガスセンサ４３は台座部３７上に載置された状態で収容室４４に収容されている。そして、ガスセンサ４３の図示しない端子は図示しない配線と接続されている。配線は台座部３７内を通されて図示しない外部装置に接続されている。
【００３７】
図４（ａ）に示すように、ガス取り入れ部４６はその上部が第１ケース３９の上端３９ａよりも上側に存在するとともに、取り入れ口４８を区画するように構成されている。そして、ガス取り入れ部４６にはその相対する両側壁４９に対して回転可能に取り付けられた回転軸５０を介して一対の蓋体５１が装着されている。
【００３８】
蓋体５１を構成する平板状の蓋板５２には、一方の側縁５２ａ（図４（ｂ）参照）側の両隅部にそれぞれ凹所５５が形成されるとともに、凹所５５から両側に延びるように回転軸５０が設けられている。なお、回転軸５０は、ガス取り入れ部４６の内側の４隅に対応する位置に設けられた側面視逆Ｌ字状のカバー部５６によって覆われている。そして、蓋板５２の両端からは、収容体４５を間に挟むように板状の一対のレバー５３が延びている。
【００３９】
図４（ｂ）に示すように、レバー５３は蓋板５２の一方の側縁５２ａ側に向かって湾曲するように延びている。そして、レバー５３の先端部側面には突部５４が設けられている。突部５４は、第１ケース３９の内壁面に設けられた係合段部４０（図４（ａ）参照）に係合して蓋体５１が取り入れ口４８を閉じた姿勢で一定に保持している。すなわち、突部５４は、蓋板５２を水平な姿勢で保持するとともに、蓋板５２が水平な姿勢より下方に傾くことを規制するために設けられている。
【００４０】
ここで、一対の蓋体５１は取り入れ口４８と収容室４４との間を開閉可能に構成されるとともに、一対の蓋体５１が取り入れ口４８を閉じた状態ではガス取り入れ部４６の開口端部４６ａからガスセンサ４３に向かうガスの流通は遮断されている。また、蓋体５１が取り入れ口４８を閉じた状態では、蓋板５２とガスセンサ４３の先端との間に所定間隔が存在している。なお、この所定間隔は、第２ケース４２が押圧されて下降する距離より小さくなるように設定されている。
【００４１】
次に、前記のように構成されたアルコール濃度検出装置３５の作用を説明する。
アルコール濃度検出装置３５は、運転者が自動車を運転する前に自身の血液中のアルコール濃度を測定するために用いられる。アルコール濃度検出装置３５を使用する際に、運転者は、図５に示すように、まず、自身の指Ｐで第２ケース４２の開口端部４６ａを押圧し、第２ケース４２を巻きばね４１の付勢力に抗して押し下げる。そして、第２ケース４２の下降に連係して一対の蓋体５１が下降すると、ガスセンサ４３の上面が蓋体５１の蓋板５２に押し付けられることで一対の蓋体５１は回動して押し開けられる。すると、ガスセンサ４３は蓋体５１を開いたうえでその上部が取り入れ口４８に配置されるとともに、指Ｐとガスセンサ４３の検出素子との間の距離は縮まる。そして、指Ｐから放出された皮膚透過ガスは、速やかにガスセンサ４３の検出素子にまで到達し、ガスセンサ４３は皮膚透過ガス中のアルコール濃度に応じた検出電圧をアルコール濃度検出装置３５の外部に設けられた図示しない外部装置に入力する。そして、外部装置は、ガスセンサ４３から入力された検出電圧に基づいて、運転者の血液中のアルコール濃度を測定する。
【００４２】
ここで、アルコール濃度検出装置３５を用いたアルコール濃度の測定が終了した後、運転者が第２ケース４２から指Ｐを離すと、第２ケース４２は巻きばね４１によって付勢されて上昇し元の位置に復帰する。なお、第２ケース４２が元の位置に復帰する途中でガスセンサ４３の上面と蓋板５２とは離間するとともに、蓋体５１は回転軸５０を支点として開口４４ａを閉じる方向に回転する。そして、突部５４が係合段部４０に係止されると、蓋板５２は水平な姿勢に保持されて取り入れ口４８を閉じる。
【００４３】
この実施形態によれば、以下に示す効果を得ることができる。
（５）第２ケース４２を押圧操作して一対の蓋体５１を開く際には、指Ｐも第２ケース４２とともに下降してガスセンサ４３に近づく。したがって、ガスセンサ４３によって皮膚透過ガス中の成分を検出する際には、指Ｐとガスセンサ４３との間の距離を近づかせることができるため、皮膚透過ガス中の成分を速やかにガスセンサ４３にまで到達させることができる。
【００４４】
実施の形態は、前記に限定されるものではなく、例えば、次のように具体化してもよい。
○  第１実施形態において、蓋体は弾性変形可能な部材であればよいため、蓋体を構成する部材を変更してもよい。例えば、蓋体として平板状のゴム部材を用いてもよい。また、第１実施形態における蓋体に代えて、一対のゴム部材を用いてもよい。例えば、図６（ａ）に示すように、蓋体としての板状の一対のゴム部材６０を筐体１３の取り入れ口１５と対応する部分であって筐体１３の外側に設けてもよい。この場合、一対のゴム部材６０の先端が互いに押し付けられるように一対のゴム部材６０を配置するとともに、ゴム部材６０の上面に操作部材としての突部６１を設ける。そして、突部６１が非操作時の場合には、一対のゴム部材６０の先端は互いに押し付け合っており、ゴム部材６０は取り入れ口１５を閉じて皮膚透過ガスがガスセンサ１４にまで到達することを遮断する。また、図６（ｂ）に示すように、被検者がゴム部材６０の突部６１を押圧操作すると、ゴム部材６０は弾性変形し、ゴム部材６０の先端同士が離間して、取り入れ口１５は開かれる。そして、皮膚透過ガスは筐体内に取り入れられて、ガスセンサにまで到達し、ガスセンサは皮膚透過ガス中の成分を検出することができる。蓋体はゴム部材によって構成されているため、ゴム部材６０によって取り入れ口１５を閉じれば取り入れ口１５のシール性を容易に向上させることができる。また、ゴム部材６０に設けられた操作部としての突部を省略し、ゴム部材自体が操作部を兼ねるように構成してもよい。この場合において、皮膚透過ガス中の成分を検出するには、一対のゴム部材同士が押し付け合っている箇所を押圧して取り入れ口を開けばよい。
【００４５】
○  第２実施形態において、蓋体２７を保持する保持手段として用いる部材を変更してもよい。例えば、巻きばねの代わりに、板ばねを用いてもよい。また、ゴム部材を用いてもよいし、蛇腹部材を用いてもよい。
【００４６】
○  第２実施形態において、閉鎖部材と蓋体とを別々に設けてもよい。例えば、筐体１３の内壁部に回転可能に取り付けられるとともに排気口を塞ぐことが可能な閉鎖部材を設ける。そして、閉鎖部材の一方の端部に付勢手段を取り付けるとともに、蓋体と一体的に設けられた棒状のレバーが他方の端部と当接するように構成する。そして、蓋体によって取り入れ口を閉じている状態では、レバーは閉鎖部材を押圧することなく、付勢手段によって閉鎖部材は排気口を閉じた状態で保持される。そして、蓋体が下降したときには、レバーによって閉鎖部材を押して回転させることで排気口を開くとともに、突部が押圧操作されなくなりレバーが閉鎖部材から離間すると巻きばねの付勢力によって閉鎖部材は元の姿勢に戻り排気口を閉じる。
【００４７】
○  第２実施形態においては、突部が押圧操作された際に排気口と筐体内とを連通できる大きさであれば孔３３の大きさを変更してもよい。例えば、孔３３を排気口よりも小さい形状となるように変更してもよいし、排気口と同じ形状となるように変更してもよい。ただし、孔３３の大きさは、排気口の大きさ以上である方が排気口を全開できるため好ましい。
【００４８】
○  第２実施形態において、突部が押圧操作されると同時に排気口が開かれるように構成してもよい。例えば、蓋体２７で取り入れ口１５を閉じている状態において孔３３の下端が排気口２６の上端と一致するように構成すれば、突部１７を押圧操作すると同時に排気口２６が開かれる。
【００４９】
○  第１及び第２実施形態において、筐体の形状については、とくに限定されない。例えば、筐体を両端側が閉鎖された略円筒形状に形成してもよいし、多角筒形状に形成してもよい。
【００５０】
○  蓋体を弾性変形させることで皮膚透過ガス取り入れ口を開く構成に代えて、操作部材を側方から押圧して皮膚透過ガス取り入れ口を開く構成に変更してもよい。例えば、筐体の上壁部に取り付けられた蓋体をスライド移動できるように構成し、取り入れ口を開いたときに被検者の皮膚が取り入れ口付近に存在するように、突部及び取り入れ口の位置を設定する。
【００５１】
○  皮膚透過ガス検出装置を自動車に搭載する場合、運転者が操作可能な箇所であれば、設置する箇所についてはとくに制限されない。例えば、操作部がインスツルメントパネルの外部に突出する状態で皮膚透過ガス検出装置を設置してもよいし、ドアのハンドル部分に皮膚透過ガス検出装置を設置してもよい。ドアのハンドル部分に皮膚透過ガス検出装置を設置する場合には、運転者が把持する箇所に皮膚透過ガス検出装置の操作部が位置するように構成すれば、運転者が乗車する前に自然に操作部を操作させて、運転者から放出される皮膚透過ガス中の成分を検出することができる。また、皮膚透過ガス検出装置から導出される配線を容易に目立たないようにすることができる。また、皮膚透過ガス検出装置を設置する場所は、自動車に限らず、用途に応じて設置箇所を変更してもよい。
【００５２】
○  アルコール濃度センサの代わりに、皮膚透過ガスとしてアセトンの放出量を検出するアセトンセンサを用いてもよい。また、皮膚透過ガスとしてアンモニアの放出量を検出するアンモニアセンサを用いてもよい。
【００５３】
○  目的とする皮膚透過ガスの成分を検出することができるガスセンサであれば、ガスセンサの種類についてはとくに限定されない。例えば、ガスセンサとして半導体式センサを用いてもよいし、電気化学センサを用いてもよい。
【図面の簡単な説明】
【００５４】
【図１】（ａ）はアルコール濃度検出装置の模式一部破断斜視図、（ｂ）はアルコール濃度検出装置の模式断面図。
【図２】アルコール濃度検出装置で皮膚透過ガスを検出している状態を示す模式断面図。
【図３】（ａ）はアルコール濃度検出装置の模式断面図、（ｂ）は（ａ）の断面と直交する断面におけるアルコール濃度検出装置の模式断面図、（ｃ）はアルコール濃度検出装置による皮膚透過ガスの検出を完了した後の状態を示す模式断面図。
【図４】（ａ）はアルコール濃度検出装置の模式断面斜視図、（ｂ）はアルコール濃度検出装置の一部破断断面図。
【図５】アルコール濃度検出装置の模式断面図。
【図６】（ａ）は別の実施形態における蓋体の模式部分断面図、（ｂ）は別の実施形態において蓋体が開いた状態を示す模式部分断面図。
【符号の説明】
【００５５】
１１，３４，３５…皮膚透過ガス検出装置としてのアルコール濃度検出装置、１３…筐体、１４，４３…ガスセンサ、１５，４８…皮膚透過ガス取り入れ口としての取り入れ口、１６，２７，５１…蓋体、１７，６１…操作部材としての突部、２６…排気口、２９…閉鎖部材、４２…第２ケース、６０…蓋体としてのゴム部材。
【図１】
2009097960.tif 000003
【図２】
2009097960.tif 000004
【図３】
2009097960.tif 000005
【図４】
2009097960.tif 000006
【図５】
2009097960.tif 000007
【図６】
2009097960.tif 000008